(57)【要約】【課題】  変動入賞装置の入賞口を開閉する開閉部材の新規な開放構造を提案して、遊技の興趣を高めることができる遊技機を提供する。【解決手段】  変動入賞装置８は、凹室２１を有し、その奥側面２２上部に入賞口としての開口部２３を有する取付ベースと、凹室２１内両側部に軸着され、凹室２１内に嵌入状態になる開閉部材２８とからなり、開閉部材２８は、軸部上部の開閉部４１と、軸部下部の案内部４２と、を有し、開閉部材２８を第２状態である転倒状態に変換した際に、開閉部４１が凹室２１内へ侵入して区画される入賞領域５５に、案内部４２により案内された遊技球を導入可能とする一方、開閉部材２８を第１状態である起立状態に変換した際に、開閉部４１が入賞口２３への遊技球の入賞を阻止するように構成し、案内部４２の外周縁に壁部４５を立設し、第１状態において、壁部４５の内側面を遊技球転動面とした。【選択図】図６
2005279163.tif 000002
【特許請求の範囲】
【請求項１】
所定条件の成立により、遊技球を受け入れない第１状態と、遊技球を受け入れ易い第２状態とに変換する変動入賞装置を備えた遊技機において、
前記変動入賞装置は、
凹室を有するとともに、該凹室の奥側面上部に入賞口となる開口部を有する平板状の取付ベースと、
前記凹室内両側部に軸着され、凹室内に嵌入状態になる平板状の開閉部材とからなり、
前記開閉部材は、
軸部上部の開閉部と、軸部下部の案内部と、を有し、
前記開閉部材を第２状態である転倒状態に変換した際に、前記開閉部が凹室内へ侵入して該開閉部と開口部によって区画される入賞領域に、前記案内部により案内された遊技球を導入可能とし、
一方、前記開閉部材を第１状態である起立状態に変換した際に、前記開閉部が入賞口への遊技球の入賞を阻止するように構成し、
前記案内部に壁部を立設し、開閉部材が第１状態において、前記壁部の内側面が遊技球の転動面となるようにしたことを特徴とする遊技機。
【請求項２】
前記変動入賞装置の下方に入賞口を配設したことを特徴とする請求項１に記載の遊技機。
【請求項３】
前記入賞口の真上に当たる前記壁部の内側面に、球案内凹部を形成したことを特徴とする請求項２に記載の遊技機。
【請求項４】
前記壁部に曲率を持たせて凹曲面としたことを特徴とする請求項１から３のいずれかに記載の遊技機。
【請求項５】
前記壁部として、前記案内部の外周縁に下側壁部を立設するとともに、前記下側壁部より上方に上側壁部を立設してこれらの間が停留部となるように構成し、
前記第１状態においては前記上側壁部の上面を遊技球の転動面とするとともに、前記第２状態においては前記停留部に遊技球を停留可能としたことを特徴とする請求項１から４のいずれかに記載の遊技機。
【発明の詳細な説明】
【技術分野】
【０００１】
本発明は、所定条件の成立により、遊技球を受け入れない状態と、遊技球を受け入れ易い状態とに変動する変動入賞装置を備えたパチンコ機などの遊技機に関する。
【背景技術】
【０００２】
従来よりパチンコ機などの遊技機では、遊技領域内にアタッカーとも称される変動入賞装置を設け、特図始動口への入賞を条件に可変表示装置において可変表示ゲームが行われ、その停止態様が予め定められた大当り態様となった場合に変動入賞装置が遊技球を受け入れない第１状態から、遊技球を受け入れ易い第２状態に変換して遊技者に利益を付与するものがある。このような変動入賞装置の可動部材として、入賞口の前面側に下部両端を介して開閉自在に軸支された扉状の開閉部材があり、その開放方向は該開閉部材の下部を支点として上から下前方へ回動して入賞口を開放するのみである。
【０００３】
これに関連する技術として、例えば、特開平５−２００１４９号公報（特許文献１）に、自重によって第１の状態から第２の状態に変換可能な可動部材を有し、ソレノイドの駆動時に可動部材のレバーを解放する一方、駆動状態からの復帰時にレバーを押動し可動部材を第１の状態に戻す操作部材を設けると共に、レバーと操作部材との間にソレノイドの駆動初期に可動部材に第２の状態に向かう初期付勢力を付与する係合部を設けた変動入賞装置が提案されている。これは、組付時の歪みや盤の反り等があっても、可動部材を第１の状態から第２の状態に支障なくスムーズに変換作動でき、高い信頼性を確保できる。
【特許文献１】特開平５−２００１４９号公報
【発明の開示】
【発明が解決しようとする課題】
【０００４】
しかしながら、上記構成の変動入賞装置の開閉部材は、該開閉部材の下部を支点として上から下前方へ作動して遊技球を入賞口内へ誘導するのみであり、遊技者の興趣を充分に高められないものであった。この点は、特許文献１に開示された変動入賞装置においても同様である。
【０００５】
本発明は、上記事情に鑑みて提案されたものであり、変動入賞装置の入賞口を開閉する開閉部材の新規な開放構造を提案することにより、遊技者の興趣を高めることができる遊技機を提供することを目的とする。
【課題を解決するための手段】
【０００６】
本発明は、上記に鑑み提案されたものであり、請求項１に記載のものは、所定条件の成立により、遊技球を受け入れない第１状態と、遊技球を受け入れ易い第２状態とに変換する変動入賞装置を備えた遊技機において、
前記変動入賞装置は、
凹室を有するとともに、該凹室の奥側面上部に入賞口となる開口部を有する平板状の取付ベースと、
前記凹室内両側部に軸着され、凹室内に嵌入状態になる平板状の開閉部材とからなり、
前記開閉部材は、
軸部上部の開閉部と、軸部下部の案内部と、を有し、
前記開閉部材を第２状態である転倒状態に変換した際に、前記開閉部が凹室内へ侵入して該開閉部と開口部によって区画される入賞領域に、前記案内部により案内された遊技球を導入可能とし、
一方、前記開閉部材を第１状態である起立状態に変換した際に、前記開閉部が入賞口への遊技球の入賞を阻止するように構成し、
前記案内部に壁部を立設し、開閉部材が第１状態において、前記壁部の内側面が遊技球の転動面となるようにしたことを特徴とする遊技機である。
【０００７】
請求項２に記載のものは、前記変動入賞装置の下方に入賞口を配設したことを特徴とする請求項１に記載の遊技機である。
【０００８】
請求項３に記載のものは、前記入賞口の真上に当たる前記壁部の内側面に、球案内凹部を形成したことを特徴とする請求項２に記載の遊技機である。
【０００９】
請求項４に記載のものは、前記壁部に曲率を持たせて凹曲面としたことを特徴とする請求項１から３のいずれかに記載の遊技機である。
【００１０】
請求項５に記載のものは、前記壁部として、前記案内部の外周縁に下側壁部を立設するとともに、前記下側壁部より上方に上側壁部を立設してこれらの間が停留部となるように構成し、
前記第１状態においては前記上側壁部の上面を遊技球の転動面とするとともに、前記第２状態においては前記停留部に遊技球を停留可能としたことを特徴とする請求項１から４のいずれかに記載の遊技機である。
【発明の効果】
【００１１】
本発明の遊技機によれば、次のような優れた効果を奏する。
即ち、請求項１に記載の発明によれば、開閉部材が第２状態である転倒状態に変換した際に、開閉部が凹室内へ侵入して該開閉部と開口部によって区画される入賞領域に、前記案内部により案内された遊技球を導入可能となる一方、開閉部材の案内部に壁部を立設することにより、開閉部材が第１状態である起立状態に変換した際に、壁部の内側面で遊技球を転動させることを可能となるので、多機能で新規な開放構造の開閉部材を有する変動入賞装置を構成することができ、遊技の興趣を高めることができる。
【００１２】
請求項２に記載の発明によれば、変動入賞装置の下方に入賞口を配設することにより、壁部の内側面を転動する遊技球を該入賞口に誘導する機能、即ち、いわゆるセンターケースのステージのような機能を有し、遊技の興趣を高めることができる。
【００１３】
請求項３に記載の発明によれば、上記請求項２の効果に加えて、壁部の内側面に凹部を形成することにより、より効果的に遊技球を下方の入賞口へと誘導することができる。
【００１４】
請求項４に記載の発明によれば、案内部に立設した壁部に曲率を持たせて凹曲面としたことにより、転動面となる壁部の内側面において遊技球が往復揺動するので、球見せ時間を長くすることができるとともに、往復揺動が次第に小さくなって遊技球が中央に集まり易くなる。したがって、入賞に対する期待感が高まるとともに、遊技の興趣を高めることができる。
【００１５】
請求項５に記載の発明によれば、第１状態においては上側壁部の上面が遊技球の転動面として機能するとともに、第２状態において上側壁部と下側壁部との間の停留部に遊技球を停留させ、第１状態に変動した際に停留されていた遊技球を変動入賞装置の下方に配設した入賞口へ向けて一気に流下させ、保留装置のような役割を果たすことができる。したがって、入賞に対する期待感が高まるとともに、遊技の興趣を高めることができる。
【発明を実施するための最良の形態】
【００１６】
以下、本発明の最良の実施形態を図面に基づいて説明する。
図１は代表的な遊技機であるパチンコ機の遊技盤の正面図である。
このパチンコ機１の遊技盤２は、表面にガイドレール等の区画部材３により区画された遊技領域４を形成し、該遊技領域４内において、ほぼ中央には周囲がセンターケース５によって覆われた可変表示装置６を配設して、該可変表示装置６の下方には大入賞口としての変動入賞装置８を、さらにその下方には入賞口１０を、可変表示装置６の左右には一般入賞口１１，１１等を配設している。また、この遊技領域４内には、この他に、遊技球の流下方向を変える風車や障害釘、発光により各種の装飾表示を行うランプ・ＬＥＤ（図示せず）、及び入賞せずに流下した遊技球を回収するアウト口１２などが設けられている。
【００１７】
可変表示装置６は、例えば、複数の可変表示領域（左側、中央、右側の３つの可変表示領域等）を設定して各表示領域の各々で独立して文字や図柄等の識別情報が可変表示される表示装置であって、本実施形態では、例えば、任意の画像を表示可能なＬＣＤ（液晶表示器）等で表示画面部分が構成され、この表示画面に複数の識別情報（図柄）を可変表示する可変表示ゲームが行われる。
【００１８】
変動入賞装置８は、ソレノイド５０（図４参照）への通電により、遊技球を受け入れない第１状態（閉状態であり、遊技者に不利な状態）から遊技球を受け入れ易い第２状態（開状態であり、遊技者に有利な大当たり状態）に変換する装置であり、後述する特別図柄始動口への入賞により可変表示装置６の特別図柄が作動して、特定の図柄が揃ったときに所定条件が成立したものとして、遊技球を受け入れ易い第２状態（大当たり状態）へ移行するように成っている。
【００１９】
次に、第１の実施形態における変動入賞装置８について説明する。
図２は第１の実施形態における変動入賞装置の取付状況を説明する斜視図、図３は第１の実施形態における変動入賞装置を構成する取付ベースおよび開閉部材の取付状況を説明する斜視図、図４はソレノイドおよびリンク機構の取付状態の模式図、図５はソレノイドおよびリンク機構の作動を説明する模式図である。
【００２０】
図２及び図３に示すように、変動入賞装置８は、遊技盤２に形成された長方形の開口部（図示せず）内に収納される矩形箱体状の凹室２１を後部に有するとともに、この凹室２１の奥側面２２の上部に入賞口（大入賞口）としての開口部２３を有し、遊技盤２に固定される前面部分が平板枠体状の取付ベース２５と、前記凹室２１内の両側部に軸着されるとともに、この凹室２１の開口を閉塞するように該凹室２１内に嵌入状態で取り付けられる平板状の開閉部材２８とから概略構成されている。
【００２１】
開閉部材２８には、図３に示すように、一側（左端）の略中央部に支軸３０が、他側（右端）の略中央部にクランク軸３１がそれぞれ取り付けられており、支軸３０は前記凹室２１内の一側部（左側部）の前面側中央部に形成された軸受孔３５内に嵌合されて支承されるとともに、クランク軸３１の基端部は前記凹室２１内の他側部（右側部）の前面側中央部に形成された開口孔状の軸受部３６に嵌合されて支承される。そして、この開閉部材２８は、図３に示す両軸部３０，３１よりも上部が開閉部４１として、下部が案内部４２となり、この案内部４２の外周縁には上方へ開放部を臨ませたコ字状の壁部４５が立設されている。
【００２２】
この開閉部材２８は、図４に示すように、駆動源となるソレノイド５０の励磁と復帰スプリング５０´の復元力によって上記クランク軸３１を作動することにより、遊技球を受け入れない第１状態（閉状態：遊技者に不利な状態）と、遊技球を受け入れ易い第２状態（開状態：遊技者に有利な大当たり状態）とに変換する。即ち、図４および図５に示すように、ソレノイド５０のプランジャ５１の先端部にコ字状のクランク操作部５２を取り付け、このクランク操作部５２の間にクランク軸３１を係合し、前記プランジャ５１を進退させてクランク操作部５２を介してクランク軸３１を回動させ、これにより、開閉部材２８を図５（ａ）に示すような起立状態（第１状態）と、図５（ｂ）に示すような転倒状態（第２状態）とに変換する。なお、この開閉部材２８の作動については後で詳細に説明する。
【００２３】
図２に示すように、前記取付ベース２５は、後部に前記凹室２１を備える平板部分がコ字状を呈するベース本体６１と、該ベース本体６１の右側に前記開口孔状の軸受部３６の前面を覆うように配される補助ベース６２とから成っている。補助ベース６２は、図４に示すように、長方形の平板状の部材であり、その裏面下部に設けた止着部６３に、ネジ等の止着部材６４によってソレノイド５０が固定されるように成っている。また、この補助ベース６２は、その裏面の上下に設けた雌ネジ部を有する取付ボス６７を介して、前記取付ベース２５の凹室２１を形成する区画壁２６の右側後部の上下に設けた取付片２７の止着孔２９にネジ等の止着部材（図示せず）を止着することにより、前記取付ベース２５と一体的に固定される。図４（ａ）に示す突出縁部６８は、前記開口孔状の軸受部３６の前面を覆う部分であり、凹室２１を形成する区画壁２６の右側前端部に当接される。
【００２４】
補助ベース６２は、図４（ｂ）に示すように、開閉部材２８の支軸３０を凹室２１の左側面部の軸受孔３５内に嵌合するとともに、開閉部材２８のクランク軸３１を凹室２１の右側面部の軸受部３６に嵌合した後、補助ベース６２の取付ボス６７を前記区画壁２６の右側後部の上下の取付片２７の止着孔２９に止着して、前記軸受部３６の前面を覆う。そして、この補助ベース６２にソレノイド５０を取り付けると共に、プランジャ５１の先端部のクランク操作部５２にクランク軸３１を係合してユニット化し、ベース本体６１と補助ベース６２からなる取付ベース２５の四角に形成した止着孔６９にネジ等の止着部材（図示せず）を止着することにより、遊技盤２に固定する。
【００２５】
次に、前記ソレノイド５０に通電することによる開閉部材２８の作動を遊技球７１の動きとともに説明する。
第１状態である起立状態は開閉部材２８の初期状態であり、この起立状態では、図２に示すように前記凹室２１の前面を閉塞しているため、前記開閉部４１が入賞口（開口部）２３への遊技球の入賞を阻止するように機能する。このとき、図５（ａ）に示すように、ソレノイド５０のプランジャ５１は復帰スプリング５０´の付勢力により進出（伸長）している。
【００２６】
そして、第１状態でソレノイド５０に通電するとソレノイド５０のプランジャ５１が後退（収縮）するので、クランク軸３１を介して開閉部材２８が、クランク軸３１よりも下に位置していた案内部４２を前方に、上に位置していた開閉部４１を後方に回動し、即ち、図５（ｂ）に示すように、時計方向にほぼ９０度回動し、案内部４２を取付ベース２５の前方に突出させて開閉部４１を後方に倒して後端を開口部２３の縁に当接して停止する転倒状態（第２状態）に変換する。すると、図６に示すように、前記開閉部４１が凹室２１内へ侵入するとともに、前記案内部４２が下から上前方へ回動して前方へと突き出し、凹室２１内へ侵入した開閉部４１と開口部２３とによって凹室２１内に区画される入賞領域５５に、前記案内部４２に流下して案内された遊技球７１を導入可能な状態に変換する。したがって、この転倒状態（第２状態）に変換すると、流下してきた遊技球を開閉部材の全幅に渡って受け止めて入賞させることができ、入賞し易く遊技者にとって有利な状態になる。
【００２７】
また、上記起立状態（第１状態）においては、図７に示すように、前記案内部４２の外周縁に立設された壁部４５の内側面（図７において上面）が流下する遊技球７１の引っ掛かり面或いは転動面となり、ここに流下した遊技球７１が下方に配設された前記入賞口１０に入球することもある。本実施形態では、この入賞口１０は、例えば、可変表示装置６の特別図柄を始動（具体的には、複数の特別図柄を変動表示し、その停止態様によって変動入賞装置８を開閉する大当たり遊技を生起するための変動表示ゲームを始動）させる特別図柄始動口として構成されており、前記壁部４５の内側面を引っ掛かり面乃至転動面とすることにより遊技球７１の流下に一旦止まるような変化を与えて遊技者に視認し易くさせ、遊技者には入賞口１０内に入賞するという期待感が生まれることになる。
【００２８】
なお、図６および図７に示すように、遊技盤２の背面には前記入賞口としての開口部２３から入賞した遊技球７１が流下する縦型流路７２が区画されており、その下部には仕切り壁７３によって入賞口１０の縦型流路７４が区画され、それぞれの流路７２，７４には遊技球７１の入賞を検出するセンサー７５，７６が設けられている。
【００２９】
このように第１の実施形態によれば、開閉部材２８が第２状態である転倒状態に変換した際に、軸部上部の開閉部４１が凹室２１内へ侵入して該開閉部４１と開口部２３によって凹室２１内に区画される入賞領域５５に、前記案内部４２により案内された遊技球が導入可能となる一方、開閉部材２８の案内部４２の外周縁に壁部４５を立設することにより、開閉部材２８が第１状態である起立状態に作動した際に、壁部４５の内側面で遊技球を転動させることが可能となるので、多機能であり、又、開閉部４１が上から下後方へと回動するとともに、案内部が下から上前方へと回動するので、新規な開放構造の開閉部材２８を有する変動入賞装置８を構成することができ、遊技の興趣を高めることができる。
【００３０】
また、変動入賞装置８の直下に入賞口１０を配設することにより、案内部４２の外周縁に立設した壁部４５の内側面を転動する遊技球７１を該入賞口１０に誘導する機能、即ち、いわゆるセンターケースのステージのような機能を持たせているので、遊技の興趣を高めることができる。
【００３１】
次に、第２の実施形態における開閉部材２８を説明する。
第２の実施形態において、図８は壁部の内側面に球案内凹部を形成した開閉部材の斜視図であり、図９は壁部に曲率を持たせて凹曲面とした開閉部材の斜視図である。
【００３２】
第２の実施形態は、第１実施形態における壁部４５を改良したものであり、図８では、開閉部材２８の案内部４２の外周縁に形成したコ字状の壁部４５の内側面の中央部に、板厚を一部減少させることにより曲率を有する凹曲面状の球案内凹部８１を形成している。この球案内凹部８１の形状は本実施形態に限るものではなく、矩形状の溝やＶ字状の溝であっても構わないが、曲率を有する凹曲面状の球案内凹部８１とすることにより、球案内凹部８１においても遊技球を転動させることができ、この球案内凹部８１の存在によって、より効果的に遊技球を下方の入賞口１０へと誘導することができる。なお、球案内凹部８１は、入賞口１０の真上に当たる前記壁部４５の内側面に配置することが望ましい。
【００３３】
また、図９では、開閉部材２８の案内部４２の外周縁に立設したコ字状の壁部４５の下側壁部４６の全体に亘って内側面（上面）が円弧の凹部（凹曲面）となるように曲率を持たせて形成している。壁部４５の下側壁部４６の全体に亘って曲率を持たせることにより、転動面となる下側壁部４６の内側面（上面）において遊技球が大きく往復揺動するので、球見せ時間を長くすることができ、往復揺動が次第に小さくなって遊技球が中央に集まり易くなり、下方に配置された入賞口１０への入賞に対する期待感が高まるとともに、遊技の興趣を高めることができる。
【００３４】
図９では、壁部４５の下側壁部４６の全体に亘って曲率を持たせているが、これに限るものではなく、壁部４５の下側壁部４６の中央部分にのみ曲率を持たせてもよい。この場合は、図８に示した曲率を有する凹状の球案内凹部８１と同様の作用効果を奏することになる。
【００３５】
次に、第３の実施形態における開閉部材２８を説明する。
図１０は第３の実施形態における開閉部材の斜視図、図１１は開閉部材の転倒状態（第２状態）の断面図、図１２は開閉部材の起立状態（第１状態）の断面図である。
【００３６】
第３の実施形態では、図１０（ａ）に示すように、開閉部材２８の外周縁にコ字状の下側壁部９１を立設するとともに、その上方に直線状の上側壁部９２を立設して、これらの間に区画された凹部が停留部９３として機能するように構成したものであり、本実施形態では、コ字状の下側壁部９１と直線状の上側壁部９２とによって箱体状の停留部９３が区画形成されている。即ち、図１１に示すように、第２の状態である開閉部材２８の転倒状態に変換した際には、前記開閉部４１が上から下後方へ回動して凹室２１内へ侵入するとともに、前記案内部４２が下から上前方へ回動して前方へと突き出し、凹室２１内へ侵入した開閉部４１と開口部２３とによって凹室２１内に入賞領域５５が区画され、この入賞領域５５に、前記案内部４２に流下した球技球７１が直接、或いは停留部９３内に停留していた遊技球に当たってから開口部２３内に入賞可能とする。そして、この第２状態においては、前記したように、停留部９３内に遊技球７１が停留されることも多々発生する。
【００３７】
また、開閉部材２８の起立状態（第１状態）においては、図１２に示すように、前記案内部４２に立設された上側壁部９２の上面が流下する遊技球７１の転動面となって球見せ時間が長くなり、やがて変動入賞装置８の下方に配設された前記入賞口１０に入賞し得る。それだけでなく、第２状態から第１状態に変換すると、第２状態において停留部９３に停留された遊技球７１が、下方に配設された入賞口１０へ一気に流下するので、入賞口１０へ入賞し易くなり、また、一気に流下する様子が遊技者に対してダイナミックな遊技の臨場感を高揚すると共に入賞への期待を高めることができる。
【００３８】
また、図１０（ｂ）に示すように、開閉部材２８の外周縁にコ字状の下側壁部９１を立設するとともに、その上方に下側壁部９１よりも横幅の狭いコ字状の上側壁部９２を逆さに立設して、これらの間に区画された凹部が停留部９３として機能するように構成したものであり、図１０（ａ）よりも横幅の狭い箱体状の停留部９３が案内部４２の中央部に区画形成されており、その両側の下側壁部９１の部分は後方（第２状態においては開口部２３側）が開放されている。このように構成することにより、第２状態で停留部９３の両側に流下した遊技球はそのまま開口部２３に入賞して、停留部９３に停留した遊技球のみが第１状態に復帰したときに、下方に配設された入賞口１０に入賞し得ることになり、遊技の興趣が増すことになる。
【００３９】
このように第３の実施形態によれば、開閉部材２８の起立状態（第１状態）においては、上側壁部９２の上面が遊技球７１の転動面として機能するとともに、開閉部材２８の転倒状態（第２状態）においては、下側壁部９１と上側壁部９２との間の停留部９３に遊技球７１を停留させ、第２状態から第１状態に変換した際に停留部９３に停留されていた遊技球７１を変動入賞装置８の下方に配設した入賞口１０へ向けて一気に流下させて保留装置のような役割を果たすことができるので、入賞に対する期待感が高まるとともに、遊技の興趣を高めることができる。
【００４０】
また、上記第１から第３の実施形態においては、図１のように、変動入賞装置８の下方に配設する入賞口１０を単なる箱体状に形成し、特別図柄入賞口として構成したが、これに限るものではなく、電動式始動口として使用する場合、変動入賞装置８の一側方（左側）に普通図柄始動ゲート９５を設け、これにより始動される普通図柄表示器９７を前面に設けたいわゆる普図普電付始動口（電動式始動口）９６として構成してもよい。
【００４１】
この普図普電付始動口９６は、遊技球７１が普通図柄始動ゲート９５を通過するなどの条件が成立した場合に、例えば、７セグメント表示器などの普通図柄表示器９７が始動して補助変動表示ゲームを開始する。この補助変動表示ゲームにおいて遊技制御装置は、普通図柄に関する乱数を生成および抽出し、普通図柄表示器９７で識別情報（所謂普通図柄）を所定時間変換させる。そして、停止表示時における普通図柄が当たりの図柄であった場合、例えば数字の「７」であった場合に、遊技制御装置は、普図普電付始動口９６の開閉部材９８を所定の開放時間（例えば１秒間）開放して、入賞が容易になるように変換する。
【００４２】
このように構成することにより、第１および第２の実施形態では、開閉部材２８の起立状態おいて、前記壁部４５の内側面（上面）を転動した遊技球７１が前記普図普電付始動口９６内に入賞し得ることになる。また、第３の実施形態では、開閉部材２８の起立状態において、前記上側壁部９２の上面を転動した遊技球７１が前記普図普電付始動口９６内に入賞し得ることになり、さらに、開閉部材２８の転倒状態において停留部９３に停留した遊技球７１が、第２の状態から第１の状態へと変換する際に、下方に配設された普図普電付始動口９６へと一気に流下して入賞し易くなる。したがって、遊技の興趣を高めることができる。
【００４３】
即ち、以上説明した構成の遊技機１によれば、通常、上から下前方へ回動する変動入賞装置８の開閉部材２８を、開閉部４１については上から下後方へと回動させるとともに、案内部４２については下から上前方へと回動させることにより、これまでにない態様で状態を変換することとなり、これにより遊技の興趣を高めることができる。また、ただ遊技球７１を受け入れるだけでなく、壁部４５を立設することにより壁部４５の内側面を遊技球７１の転動面とすることで球見せ時間を長くしたり、また、遊技球７１を受け入れ易い第２状態において下側壁部９１と上側壁部９２との間の停留部９３に遊技球７１を停留可能とし、遊技球７１を受け入れない第１状態に変換した際に、停留した遊技球７１を下方に配設された入賞口１０に導くようにすることにより、遊技の興趣を高めることができるものである。
【００４４】
上記した実施形態は、代表的な遊技機であるパチンコ機１を例に挙げて説明したが、本発明はこれに限らず、遊技球を流下させることにより行う遊技機であればどのような遊技機でもよい。例えば、内部に封入した遊技球を循環させる封入球式パチンコ機、アレンジボール式遊技機、雀球式遊技機等の遊技機であってもよい。
【００４５】
また、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４６】
【図１】パチンコ機の遊技盤の正面図である。
【図２】第１の実施形態における変動入賞装置の取付状況を説明する斜視図である。
【図３】（ａ）は第１の実施形態における変動入賞装置の開閉部材の斜視図、（ｂ）はベース本体の斜視図である。
【図４】（ａ）はソレノイドを取り付ける補助ベースの斜視図、（ｂ）は補助ベースおよびソレノイドを取り付けた状態における変動入賞装置の側面図である。
【図５】ソレノイドおよびリンク機構の作動を説明する模式図であり、（ａ）は開閉部材が起立した第１状態の側面図、（ｂ）は開閉部材が時計方向に約９０°回動した第２状態の側面図である。
【図６】第２状態である開閉部材の転倒状態における変動入賞装置の断面図である。
【図７】第１状態である開閉部材の起立状態における変動入賞装置の断面図である。
【図８】第２の実施形態において、壁部の内側面に球案内凹部を形成した開閉部材の斜視図である。
【図９】第２の実施形態において、壁部に曲率を持たせた開閉部材の斜視図である。
【図１０】第３の実施形態における開閉部材の斜視図であり、（ａ）は開閉部材の全幅に亘って停留部を形成した実施形態の斜視図、（ｂ）は開閉部材の中央部分に停留部を形成した実施形態の斜視図である。
【図１１】第２状態である開閉部材の転倒状態における変動入賞装置の断面図である。
【図１２】第１状態である開閉部材の起立状態における変動入賞装置の断面図である。
【図１３】パチンコ機の遊技盤の正面図である。
【符号の説明】
【００４７】
１  パチンコ機
２  遊技盤
４  遊技領域
６  可変表示装置
８  変動入賞装置
１０  入賞口
２１  凹室
２２  奥側面
２３  入賞口となる開口部
２５  取付ベース
２６  凹室の区画壁
２８  開閉部材
３０  支軸
３１  クランク軸
３５  軸受孔
３６  軸受部
４１  開閉部
４２  案内部
４５  壁部
４６  下側壁部
５０  ソレノイド
５１  プランジャ
５２  クランク操作部
５５  入賞領域
６１  ベース本体
６２  補助ベース
８１  球案内凹部
９１  下側壁部
９２  上側壁部
９３  停留部
９５  普通図柄ゲート
９６  普図普電付始動口（電動式始動口）
【図１】
2005279163.tif 000003
【図２】
2005279163.tif 000004
【図３】
2005279163.tif 000005
【図４】
2005279163.tif 000006
【図５】
2005279163.tif 000007
【図６】
2005279163.tif 000008
【図７】
2005279163.tif 000009
【図８】
2005279163.tif 000010
【図９】
2005279163.tif 000011
【図１０】
2005279163.tif 000012
【図１１】
2005279163.tif 000013
【図１２】
2005279163.tif 000014
【図１３】
2005279163.tif 000015